(57)【特許請求の範囲】
【請求項１】
複数の携帯端末と通信可能な情報表示サーバであって、
第一の携帯端末が存在する第一のエリアを特定する第一エリア情報を受信すると、第二の携帯端末が存在する第二のエリアを特定する第二エリア情報を取得する位置取得手段と、
前記位置取得手段により取得された前記第一のエリア情報と前記第二のエリア情報とが同一エリアに存在することを示しているか否かを判定するエリア判定手段と、
前記エリア判定手段により同一エリアに存在することを示していると判定された場合、前記第二の携帯端末において使用されているアプリケーションを特定するアプリケーション情報を取得するアプリケーション取得手段と、
前記アプリケーション取得手段により取得された前記アプリケーション情報を前記第一の携帯端末に送信する情報送信手段と、
を備えることを特徴とする情報表示サーバ。
【請求項２】
複数の携帯端末と通信可能な情報表示サーバであって、
第一の携帯端末に記憶されている、当該第一の携帯端末の所有者を示す第一の所有者情報及び第一の電話帳情報を受信すると、第二の携帯端末に記憶されている、当該第二の携帯端末の所有者を示す第二の所有者情報及び第二の電話帳情報を取得する情報取得手段と、
前記情報取得手段により取得された、前記第一の電話帳情報に前記第二の所有者情報が登録されており、且つ、前記第二の電話帳情報に前記第一の所有者情報が登録されている相互登録状態であるか否かを判定する情報判定手段と、
前記情報判定手段により相互登録状態であると判定された場合、前記第二の携帯端末において使用されているアプリケーションを特定するアプリケーション情報を取得する特定取得手段と、
前記特定取得手段により取得された前記アプリケーション情報を前記第一の携帯端末に送信する特定送信手段と、
を備えることを特徴とする情報表示サーバ。
【請求項３】
複数の携帯端末と、当該複数の携帯端末と通信可能な情報表示サーバとを含む情報表示システムであって、
前記情報表示サーバは、
第一の携帯端末が存在する第一のエリアを特定する第一エリア情報を前記第一の携帯端末から受信すると、第二の携帯端末が存在する第二のエリアを特定する第二エリア情報を前記第二の携帯端末から取得する位置取得手段と、
前記位置取得手段により取得された前記第一のエリア情報と前記第二のエリア情報とが同一エリアに存在することを示しているか否かを判定するエリア判定手段と、
前記エリア判定手段により同一エリアに存在することを示していると判定された場合、前記第二の携帯端末において使用されているアプリケーションを特定するアプリケーション情報を前記第二の携帯端末から取得するアプリケーション取得手段と、
前記アプリケーション取得手段により取得された前記アプリケーション情報を前記第一の携帯端末に送信する情報送信手段と、
を備えることを特徴とする情報表示システム。
【請求項４】
複数の携帯端末と、当該複数の携帯端末と通信可能な情報表示サーバとを含む情報表示システムであって、
前記情報表示サーバは、
第一の携帯端末に記憶されている、当該第一の携帯端末の所有者を示す第一の所有者情報及び第一の電話帳情報を前記第一の携帯端末から受信すると、第二の携帯端末に記憶されている、当該第二の携帯端末の所有者を示す第二の所有者情報及び第二の電話帳情報を前記第二の携帯端末から取得する情報取得手段と、
前記情報取得手段により取得された、前記第一の電話帳情報に前記第二の所有者情報が登録されており、且つ、前記第二の電話帳情報に前記第一の所有者情報が登録されている相互登録状態であるか否かを判定する情報判定手段と、
前記情報判定手段により相互登録状態であると判定された場合、前記第二の携帯端末において使用されているアプリケーションを特定するアプリケーション情報を前記第一の携帯端末から取得する特定取得手段と、
前記特定取得手段により取得された前記アプリケーション情報を前記第一の携帯端末に送信する特定送信手段と、
を備えることを特徴とする情報表示システム。
【請求項５】
複数の携帯端末と通信可能な情報表示サーバが行なう情報表示方法であって、
第一の携帯端末が存在する第一のエリアを特定する第一エリア情報を前記情報表示サーバが受信すると、第二の携帯端末が存在する第二のエリアを特定する第二エリア情報を前記情報表示サーバが取得する位置取得ステップと、
前記位置取得ステップにより取得された前記第一のエリア情報と前記第二のエリア情報とが同一エリアに存在することを示しているか否かを前記情報表示サーバが判定するエリア判定ステップと、
前記エリア判定ステップにより同一エリアに存在することを示していると判定された場合、前記第二の携帯端末において使用されているアプリケーションを特定するアプリケーション情報を前記情報表示サーバが取得するアプリケーション取得ステップと、
前記アプリケーション取得ステップにより取得された前記アプリケーション情報を前記第一の携帯端末に前記情報表示サーバが送信する情報送信ステップと、
を有することを特徴とする情報表示方法。
【請求項６】
複数の携帯端末と通信可能な情報表示サーバが行なう情報表示方法であって、
第一の携帯端末に記憶されている、当該第一の携帯端末の所有者を示す第一の所有者情報及び第一の電話帳情報を前記情報表示サーバが受信すると、第二の携帯端末に記憶されている、当該第二の携帯端末の所有者を示す第二の所有者情報及び第二の電話帳情報を前記情報表示サーバが取得する情報取得ステップと、
前記情報取得ステップにより取得された、前記第一の電話帳情報に前記第二の所有者情報が登録されており、且つ、前記第二の電話帳情報に前記第一の所有者情報が登録されている相互登録状態であるか否かを前記情報表示サーバが判定する情報判定ステップと、
前記情報判定ステップにより相互登録状態であると判定された場合、前記第二の携帯端末において使用されているアプリケーションを特定するアプリケーション情報を前記情報表示サーバが取得する特定取得ステップと、
前記特定取得ステップにより取得された前記アプリケーション情報を前記第一の携帯端末に前記情報表示サーバが送信する特定送信ステップと、
を有することを特徴とする情報表示方法。
【発明の詳細な説明】
【技術分野】
【０００１】
本発明は、複数の携帯端末と通信可能な情報表示サーバと、当該複数の携帯端末と当該情報表示サーバとを含む情報表示システムと、当該情報表示サーバが行なう情報表示方法とに関する。
【背景技術】
【０００２】
従来、スマートフォンといったような、アプリケーションが有する機能を外部からダウンロードしてインストールすることが可能な携帯端末が提案されている。例えば特許文献１には、使用地における機能の使用頻度の変化を考慮したユーザインタフェースを持つ携帯端末が開示されている。
【先行技術文献】
【特許文献】
【０００３】
【特許文献１】特開２０１０−１４６２８６号公報
【発明の概要】
【発明が解決しようとする課題】
【０００４】
スマートフォンや上記の特許文献１に記載の携帯端末のユーザ、特に、使用経験が浅くアプリケーション関連知識が浅いユーザは、有用なアプリケーションをアプリケーション提供サイト等においてユーザ自身で検索したり、有用なアプリケーションを他のユーザに直接聞いたりする必要がある。
【０００５】
しかしながら、互いに似たような機能を有するアプリケーションは多数存在し、他のユーザによる評価コメント等からアプリケーションが有用であるか否かを判断することは困難である。
【０００６】
そこで本発明は、上記の問題点を解消する為になされたものであり、有用である可能性がより高いアプリケーションの提示を行なう情報表示サーバ、情報表示システム、及び情報表示方法を提供することを目的とする。
【課題を解決するための手段】
【０００７】
本発明に係る情報表示サーバは、複数の携帯端末と通信可能な情報表示サーバであって、第一の携帯端末が存在する第一のエリアを特定する第一エリア情報を受信すると、第二の携帯端末が存在する第二のエリアを特定する第二エリア情報を取得する位置取得手段と、位置取得手段により取得された第一のエリア情報と第二のエリア情報とが同一エリアに存在することを示しているか否かを判定するエリア判定手段と、エリア判定手段により同一エリアに存在することを示していると判定された場合、第二の携帯端末において使用されているアプリケーションを特定するアプリケーション情報を取得するアプリケーション取得手段と、アプリケーション取得手段により取得されたアプリケーション情報を第一の携帯端末に送信する情報送信手段と、を備えることを特徴とする。
【０００８】
また、本発明に係る情報表示システムは、複数の携帯端末と、当該複数の携帯端末と通信可能な情報表示サーバとを含む情報表示システムであって、情報表示サーバは、第一の携帯端末が存在する第一のエリアを特定する第一エリア情報を第一の携帯端末から受信すると、第二の携帯端末が存在する第二のエリアを特定する第二エリア情報を第二の携帯端末から取得する位置取得手段と、位置取得手段により取得された第一のエリア情報と第二のエリア情報とが同一エリアに存在することを示しているか否かを判定するエリア判定手段と、エリア判定手段により同一エリアに存在することを示していると判定された場合、第二の携帯端末において使用されているアプリケーションを特定するアプリケーション情報を第二の携帯端末から取得するアプリケーション取得手段と、アプリケーション取得手段により取得されたアプリケーション情報を第一の携帯端末に送信する情報送信手段と、を備えることを特徴とする。
【０００９】
また、本発明に係る情報表示方法は、複数の携帯端末と通信可能な情報表示サーバが行なう情報表示方法であって、第一の携帯端末が存在する第一のエリアを特定する第一エリア情報を情報表示サーバが受信すると、第二の携帯端末が存在する第二のエリアを特定する第二エリア情報を情報表示サーバが取得する位置取得ステップと、位置取得ステップにより取得された第一のエリア情報と第二のエリア情報とが同一エリアに存在することを示しているか否かを情報表示サーバが判定するエリア判定ステップと、エリア判定ステップにより同一エリアに存在することを示していると判定された場合、第二の携帯端末において使用されているアプリケーションを特定するアプリケーション情報を情報表示サーバが取得するアプリケーション取得ステップと、アプリケーション取得ステップにより取得されたアプリケーション情報を第一の携帯端末に情報表示サーバが送信する情報送信ステップと、を有することを特徴とする。
【００１０】
この情報表示サーバ、情報表示システム、及び情報表示方法によれば、まず、第一エリア情報を受信すると、第二エリア情報を取得する処理が行われ、第一のエリア情報と第二のエリア情報とが同一エリアに存在することを示しているか否かを判定する処理が行われる。そして、同一エリアに存在することを示していると判定された場合、アプリケーション情報を取得して第一の携帯端末に送信する処理が行われる。ここで、第一の携帯端末と同一のエリアに存在する第二の携帯端末において使用されているアプリケーションは、第一の携帯端末のユーザにとっても有用である可能性がより高い。この結果、有用である可能性がより高いアプリケーションの提示を、第一の携帯端末のユーザに対して行なうことが可能になる。
【００１１】
本発明に係る情報表示サーバは、複数の携帯端末と通信可能な情報表示サーバであって、第一の携帯端末に記憶されている第一の所有者情報及び第一の電話帳情報を受信すると、第二の携帯端末に記憶されている第二の所有者情報及び第二の電話帳情報を取得する情報取得手段と、情報取得手段により取得された、第一の電話帳情報に第二の所有者情報が登録されており、且つ、第二の電話帳情報に第一の所有者情報が登録されている相互登録状態であるか否かを判定する情報判定手段と、情報判定手段により相互登録状態であると判定された場合、第二の携帯端末において使用されているアプリケーションを特定するアプリケーション情報を取得する特定取得手段と、特定取得手段により取得されたアプリケーション情報を第一の携帯端末に送信する特定送信手段と、を備えることを特徴とする。
【００１２】
また、本発明に係る情報表示システムは、複数の携帯端末と、当該複数の携帯端末と通信可能な情報表示サーバとを含む情報表示システムであって、情報表示サーバは、第一の携帯端末に記憶されている第一の所有者情報及び第一の電話帳情報を第一の携帯端末から受信すると、第二の携帯端末に記憶されている第二の所有者情報及び第二の電話帳情報を第二の携帯端末から取得する情報取得手段と、情報取得手段により取得された、第一の電話帳情報に第二の所有者情報が登録されており、且つ、第二の電話帳情報に第一の所有者情報が登録されている相互登録状態であるか否かを判定する情報判定手段と、情報判定手段により相互登録状態であると判定された場合、第二の携帯端末において使用されているアプリケーションを特定するアプリケーション情報を第一の携帯端末から取得する特定取得手段と、特定取得手段により取得されたアプリケーション情報を第一の携帯端末に送信する特定送信手段と、を備えることを特徴とする。
【００１３】
また、本発明に係る情報表示方法は、複数の携帯端末と通信可能な情報表示サーバが行なう情報表示方法であって、第一の携帯端末に記憶されている第一の所有者情報及び第一の電話帳情報を情報表示サーバが受信すると、第二の携帯端末に記憶されている第二の所有者情報及び第二の電話帳情報を情報表示サーバが取得する情報取得ステップと、情報取得ステップにより取得された、第一の電話帳情報に第二の所有者情報が登録されており、且つ、第二の電話帳情報に第一の所有者情報が登録されている相互登録状態であるか否かを情報表示サーバが判定する情報判定ステップと、情報判定ステップにより相互登録状態であると判定された場合、第二の携帯端末において使用されているアプリケーションを特定するアプリケーション情報を情報表示サーバが取得する特定取得ステップと、特定取得ステップにより取得されたアプリケーション情報を第一の携帯端末に情報表示サーバが送信する特定送信ステップと、を有することを特徴とする。
【００１４】
この情報表示サーバ、情報表示システム、及び情報表示方法によれば、まず、第一の所有者情報及び第一の電話帳情報を受信すると、第二の所有者情報及び第二の電話帳情報を取得する処理が行われ、相互登録状態であるか否かを判定する処理が行われる。そして、相互登録状態であると判定された場合、アプリケーション情報を取得して第一の携帯端末に送信する処理が行われる。ここで、相互登録状態、即ち、第一の携帯端末のユーザの知人が使用する第二の携帯端末において使用されているアプリケーションは、第一の携帯端末のユーザにとっても有用である可能性がより高い。この結果、有用である可能性がより高いアプリケーションの提示を、第一の携帯端末のユーザに対して行なうことが可能になる。
【発明の効果】
【００１５】
本発明によれば、有用である可能性がより高いアプリケーションの提示を行なう情報表示サーバ、情報表示システム、及び情報表示方法を提供することができる。
【図面の簡単な説明】
【００１６】
【図１】第一実施形態に係るサーバＳによる作用効果の概略を説明する概略説明図である。
【図２】第一実施形態に係る情報表示システム１の全体的な機能構成を説明するためのシステム構成図である。
【図３】端末Ａ，Ｂ，Ｃ，Ｄの主な物理構成の概略を説明するための物理構成図である。
【図４】サーバＳ，Ｔの主な物理構成の概略を説明するための物理構成図である。
【図５】端末Ａと端末Ｂとが同一エリアに存在するか否かの判定の仕方の一例を説明する説明図である。
【図６】表示部２４による表示内容の一例を説明する説明図である。
【図７】情報表示システム１における情報表示処理の流れを説明するためのフローチャートである。
【図８】第二実施形態に係るサーバＴによる作用効果の概略を説明する概略説明図である。
【図９】第二実施形態に係る情報表示システム２の全体的な機能構成を説明するためのシステム構成図である。
【図１０】端末Ｃと端末Ｄとが相互登録状態であるか否かの判定の仕方の一例を説明する説明図である。
【図１１】表示部５４による表示内容の一例を説明する説明図である。
【図１２】情報表示システム２における情報表示処理の流れを説明するためのフローチャートである。
【発明を実施するための形態】
【００１７】
以下、添付図面を参照しながら本発明の好適な実施形態を説明する。なお、図面の説明において同一要素には同一符号を付し、重複する説明を省略する。
【００１８】
（１）第一実施形態
（１−１）第一実施形態に係るサーバによる作用効果の概略
まず、第一実施形態に係るサーバによる作用効果の概略について、図１を用いて説明する。図１は、第一実施形態に係るサーバＳ（情報表示サーバ）による作用効果の概略を説明する概略説明図である。サーバＳは、スマートフォンや携帯電話端末等の複数の端末Ａ（第二の携帯端末）及び端末Ｂ（第一の携帯端末）と通信可能なサーバである。
【００１９】
このサーバＳは、まず、端末Ｂの位置情報（第一エリア情報）を受信すると、（例えば、端末Ｂに記憶されている電話帳情報に記載の電話番号の中の一つの電話番号に対応する）端末Ａの位置情報（第二エリア情報）を取得し、端末Ｂの位置情報と端末Ａの位置情報とが同一エリアに存在することを示しているか否かを判定する。そして、同一エリアの場所に存在することを示していると判定された場合、サーバＳは、端末Ｂへの情報提供を許可する。
【００２０】
これにより、サーバＳは、端末Ａにおいて使用されているアプリケーションを特定する利用アプリ情報（アプリケーション情報）を取得して端末Ｂに送信し、この利用アプリ情報を端末Ｂにおいて表示させる。言うまでもなく、端末Ａにおける動作と、端末Ｂにおける動作とは、入れ違いであってもよい。
【００２１】
なお、端末Ｂと同一のエリア（例えば、集客イベント等の不特定多数の人が集まる場所に訪れている端末Ｂのユーザの近隣）に存在する端末Ａにおいてリアルタイムで使用されているアプリケーションは、端末Ｂのユーザにとっても有用である可能性がより高い。この結果、有用である可能性がより高い、いわゆる「おすすめの」アプリケーションの提示を、端末Ｂのユーザに対して行なう情報共有が可能になり、端末Ｂのユーザにとって利便性が向上する。更に、アプリケーションの利用促進につながる。
【００２２】
（１−２）サーバＳを含む情報表示システムの構成
引き続き、端末Ａ，ＢとサーバＳとを含む情報表示システムの全体的な機能構成について、図２を用いて説明する。図２は、第一実施形態に係る情報表示システム１の全体的な機能構成を説明するためのシステム構成図である。
【００２３】
ここで、端末Ａ，Ｂは、スマートフォンや携帯電話機といったような、アプリケーションが有する機能を外部（例えば、サーバＳ等）からダウンロードしてインストールすることが可能な携帯端末である。サーバＳは、例えば、移動通信事業者等によって管理される装置である。端末Ａ，ＢとサーバＳとの間には通信ネットワーク（図示せず）が存在しており、この通信ネットワークは、移動電話通信網、無線ＬＡＮ通信網、インターネット（公衆ＩＰ網）、簡易携帯電話（ＰＨＳ）網等から構成される通信網である。
【００２４】
（１−３）端末Ａ，Ｂの構成
引き続き、端末Ａ，Ｂの構成について、図２及び図３を用いて説明する。図３は、端末Ａ，Ｂ（及び後述する端末Ｃ，Ｄ）の主な物理構成の概略を説明するための物理構成図である。
【００２５】
端末Ａ，Ｂは、図３に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、端末Ａ，Ｂが有する各機能が発揮される。
【００２６】
端末Ａは、図２に示されるように、主な機能的な構成要素として、位置情報管理部１１（第一測位手段）、アプリ管理部１２（アプリケーション管理手段）、及びアプリ・位置情報送信部１３（アプリ・位置情報送信手段）を備えて構成されている。また、端末Ｂは、図２に示されるように、主な機能的な構成要素として、位置情報管理部２１（第二測位手段）、利用アプリ情報要求部２２（利用アプリ情報要求手段）、アプリ情報取得部２３（アプリ情報取得手段）、及び表示部２４（表示手段）を備えて構成されている。
【００２７】
なお、端末Ａは更に、位置情報管理部２１、利用アプリ情報要求部２２、アプリ情報取得部２３、及び表示部２４を備えて構成されていてもよい。同様に、端末Ｂは更に、位置情報管理部１１、アプリ管理部１２、及びアプリ・位置情報送信部１３を備えて構成されていてもよい。
【００２８】
位置情報管理部１１は、端末Ａの測位を行って、端末Ａが存在する第二のエリアを特定する位置情報を取得する測位処理部分である。この位置情報は、例えば、緯度及び経度と、現在時刻を示す現在時刻情報とを含む情報である。端末Ａの測位は、例えば、ＧＰＳ（Global Positioning System、即ち、全地球測位システム）衛星からの信号を用いて行われる。位置情報管理部１１は、サーバＳから、端末Ａの位置情報の送信要求信号を受信すると、端末Ａの測位を行って、端末Ａの位置情報をアプリ・位置情報送信部１３に出力する。
【００２９】
アプリ管理部１２は、端末Ａにおいて使用されているアプリケーションを特定する利用アプリ情報を取得する検知処理部分である。アプリ管理部１２は、サーバＳから、利用アプリ情報の送信要求信号を受信すると、利用アプリ情報の取得を行って、利用アプリ情報をアプリ・位置情報送信部１３に出力する。
【００３０】
アプリ・位置情報送信部１３は、位置情報管理部１１からの端末Ａの位置情報の入力を受け付けてサーバＳに送信するとともに、アプリ管理部１２からの利用アプリ情報の入力を受け付けてサーバＳに送信する通信処理部分である。端末Ａの位置情報と、この位置情報によって特定されるエリアにおける利用アプリ情報とは、対応付けられて（紐付けられて）送信される。
【００３１】
位置情報管理部２１は、端末Ｂの測位を行って、端末Ｂが存在する第一のエリアを特定する位置情報を取得する測位処理部分である。この位置情報は、例えば、緯度及び経度と、現在時刻を示す現在時刻情報とを含む情報である。端末Ｂの測位は、例えば、ＧＰＳ（Global Positioning System、即ち、全地球測位システム）衛星からの信号を用いて行われる。位置情報管理部２１は、利用アプリ情報要求部２２によって利用アプリ情報の送信要求信号がサーバＳへ送信されると、端末Ｂの測位を行って、端末Ｂの位置情報をサーバＳに送信する。
【００３２】
利用アプリ情報要求部２２は、端末Ｂのユーザによる利用アプリ情報の表示要求ボタンの押下を検知すると、利用アプリ情報の送信要求信号をサーバＳへ送信する通信処理部分である。
【００３３】
アプリ情報取得部２３は、利用アプリ情報要求部２２によって利用アプリ情報の送信要求信号がサーバＳへ送信された結果、サーバＳによる端末Ｂへの情報提供が許可されると、サーバＳから利用アプリ情報を受信する通信処理部分である。
【００３４】
表示部２４は、アプリ情報取得部２３により受信された利用アプリ情報を表示するディスプレイ及びその制御部分である。
【００３５】
（１−４）サーバＳの構成
引き続き、第一実施形態に係るサーバＳの構成について、図２及び図４を用いて説明する。図４は、サーバＳ（及び後述するサーバＴ）の主な物理構成の概略を説明するための物理構成図である。
【００３６】
サーバＳは、図４に示されるように、主な物理的な構成要素としてＣＰＵ２０１（Central Processing Unit）、ＲＡＭ２０２（Random Access Memory）、ＲＯＭ２０３（Read Only Memory）、通信を行うための通信モジュール２０４、及びハードディスク等の補助記憶装置２０５等のハードウェアを備えるコンピュータである。これらの構成要素が動作することにより、サーバＳが有する各機能が発揮される。
【００３７】
サーバＳは、図２に示されるように、主な機能的な構成要素として、アプリ・位置情報取得部３１（位置取得手段）、アプリ・位置情報データ記憶・照合部３２（位置取得手段、エリア判定手段）、アプリ・位置情報抽出部３３（アプリケーション取得手段）、利用アプリ情報要求受付部３４（要求受付手段）、及び利用アプリ情報提供部３５（情報送信手段）を備えて構成されている。
【００３８】
利用アプリ情報要求受付部３４は、利用アプリ情報要求部２２から、利用アプリ情報の送信要求信号を受信する通信処理部分である。
【００３９】
アプリ・位置情報取得部３１は、アプリ・位置情報データ記憶・照合部３２によって端末Ｂの位置情報が取得されると、端末Ａの位置情報の送信要求信号を位置情報管理部１１に送信することによって、端末Ａの位置情報をアプリ・位置情報送信部１３から受信して取得する通信処理部分である。
【００４０】
アプリ・位置情報データ記憶・照合部３２は、利用アプリ情報要求受付部３４による送信要求信号の受信の後に、端末Ｂの位置情報を位置情報管理部２１から受信して取得する通信処理及び判定演算部分である。アプリ・位置情報データ記憶・照合部３２は、受信した端末Ｂの位置情報と、アプリ・位置情報取得部３１により取得された端末Ａの位置情報とが同一エリアに存在することを示しているか否かを判定する。
【００４１】
アプリ・位置情報抽出部３３は、アプリ・位置情報データ記憶・照合部３２により同一エリアに存在することを示していると判定された場合、利用アプリ情報の送信要求信号をアプリ管理部１２に送信することによって、利用アプリ情報をアプリ・位置情報送信部１３から受信して取得する通信処理部分である。
【００４２】
利用アプリ情報提供部３５は、アプリ・位置情報抽出部３３により取得された利用アプリ情報をアプリ情報取得部２３に送信することによって、端末Ｂに提供する通信処理部分である。
【００４３】
（１−５）端末Ａと端末Ｂとが同一エリアに存在するか否かの判定の仕方の一例
引き続き、端末Ａと端末Ｂとが同一エリアに存在するか否かの判定の仕方の一例について、図５を用いて説明する。図５は、アプリ・位置情報データ記憶・照合部３２において行われる、端末Ａと端末Ｂとが同一エリアに存在するか否かの判定の仕方の一例を説明する説明図である。
【００４４】
アプリ・位置情報データ記憶・照合部３２は、例えば、利用アプリ情報を要求する側である端末Ｂの位置情報（時刻１５：００の時点でエリアＸＸＸに位置しているという情報）と、利用アプリ情報を提供する側である端末Ａの位置情報（時刻１５：００の時点でエリアＸＸＸに位置しつつ（アプリケーションを一意に識別する）アプリＩＤ「０００…」を利用しているという情報）とを照合する。ここでは、端末Ａも端末Ｂも時刻１５：００の時点でエリアＸＸＸに位置しているため、上記の二つの位置情報は同一エリアに存在することを示していると判定される。
【００４５】
このように位置しているエリアが一致している場合、又は、一致していないが端末Ａも端末Ｂも、より広いエリアに含まれている場合（即ち、互いに近辺（所定距離の範囲内）に位置している場合）、上記の二つの位置情報は同一エリアに存在することを示していると判定される。
【００４６】
（１−６）表示部２４による表示内容の一例
引き続き、表示部２４による表示内容の一例について、図６を用いて説明する。図６は、表示部２４による表示内容の一例を説明する説明図である。
【００４７】
端末Ｂのユーザによって、表示部２４におけるディスプレイ画面における、利用アプリ情報の表示要求ボタン（図示せず）が押下操作（タップ）され、端末Ｂの位置情報と端末Ａの位置情報とが同一エリアに存在することを示しているとサーバＳによって判定されたとする。このとき、端末Ａにおいて使用されている８つのアプリケーションを特定する利用アプリ情報が、画面下部分Ｄ１に、起動アイコン（例えば、ショートカットアイコン等）として一覧表示される。なお、端末Ｂにおいて実際に使用されている８つのアプリケーションを特定する利用アプリ情報は、画面上部分Ｕ１に、起動アイコンとして一覧表示されている。
【００４８】
この表示と同時に、「あなたの近隣のユーザはこちらのアプリを使用しています。アイコンをタップするとマーケットへ接続します」というメッセージも表示される。ここでいう「マーケット」とは、例えば、アプリケーションをダウンロードさせて提供するアプリケーション提供サイトのことである。
【００４９】
（１−７）情報表示システム１における情報表示処理の流れ
引き続き、情報表示システム１における情報表示処理（情報表示方法）の流れについて、図７を用いて説明する。図７は、情報表示システム１における情報表示処理の流れを説明するためのフローチャートである。
【００５０】
まず、端末Ｂが、上記の表示要求ボタンの押下を検知して利用アプリ情報の送信要求信号をサーバＳへ送信すると、端末Ｂが、測位を行って位置情報をサーバＳに送信する（ステップＳ０１、位置取得ステップ）。そして、サーバＳが、端末Ｂの位置情報を取得すると、端末Ａの位置情報の送信要求信号を端末Ａに送信することによって、端末Ａの位置情報を端末Ａから受信して取得する（ステップＳ０２、位置取得ステップ）。
【００５１】
次に、サーバＳが、受信した端末Ｂの位置情報と端末Ａの位置情報とが同一エリアに存在することを示しているか否かを、位置情報同士の照合により判定する（ステップＳ０３、エリア判定ステップ）。受信した端末Ｂの位置情報と端末Ａの位置情報とが同一エリアに存在することを示していないと判定された場合、一連の処理は終了し、端末Ａ，Ｂでないその他の端末（例えば、図示されていない端末Ｍ）を端末Ａに見立てて位置情報を取得して再度、照合判定の処理を行なう（ステップＳ０４）。
【００５２】
一方、受信した端末Ｂの位置情報と端末Ａの位置情報とが同一エリアに存在することを示していると判定された場合、サーバＳが、利用アプリ情報の送信要求信号を端末Ｂに送信することによって、利用アプリ情報を端末Ｂから受信して取得する（ステップＳ０５）。この後、サーバＳが、利用アプリ情報の送信要求信号を端末Ａに送信することによって、利用アプリ情報を端末Ａから受信して取得する（ステップＳ０６、アプリケーション取得ステップ）。
【００５３】
次に、端末Ｂが、近隣ユーザ（即ち、近辺（所定距離の範囲内）に位置しているユーザ）の端末Ａの利用アプリ情報の送信要求信号をサーバＳへ送信する（ステップＳ０７）。そして、サーバＳが、端末Ａの利用アプリ情報の提供は許可された設定となっているか否かを判定する（ステップＳ０８）。端末Ａの利用アプリ情報の提供は許可された設定となっていないと判定された場合、一連の処理は終了し、その他の端末を端末Ａと見立てて位置情報を取得して再度、照合判定の処理を行なう（ステップＳ０９）。
【００５４】
一方、サーバＳが、端末Ａの利用アプリ情報の提供は許可された設定となっていると判定された場合、サーバＳが、利用アプリ情報を端末Ｂに送信することによって、端末Ｂに提供する（ステップＳ１０、情報送信ステップ）。そして、端末Ｂが、サーバＳから利用アプリ情報を受信する（ステップＳ１１）。最後に、表示部２４が、受信された利用アプリ情報をアプリ一覧に表示する（ステップＳ１２）。
【００５５】
（１−８）変形例
上記の実施例では、位置情報管理部１１及び位置情報管理部２１による端末Ａ，Ｂの測位はＧＰＳ衛星からの信号を用いて行われるとして説明したが、測位方法は特に限定されず、例えば、移動電話通信網が有する基地局と端末Ａ，Ｂとの距離関係や位置関係に基づいて行われてもよい。
【００５６】
（２）第二実施形態
（２−１）第二実施形態に係るサーバによる作用効果の概略
引き続き、第二実施形態に係るサーバによる作用効果の概略について、図８を用いて説明する。図８は、第二実施形態に係るサーバＴ（情報表示サーバ）による作用効果の概略を説明する概略説明図である。サーバＴは、スマートフォンや携帯電話端末等の複数の端末Ｃ（第二の携帯端末）及び端末Ｄ（第一の携帯端末）と通信可能なサーバである。
【００５７】
このサーバＴは、まず、端末Ｄの所有者情報及び電話帳情報（第一の所有者情報及び第一の電話帳情報）を受信すると、（例えば、端末Ｄに記憶されている電話帳情報に記載の電話番号の中の一つの電話番号に対応する）端末Ｃの所有者情報及び電話帳情報（第二の所有者情報及び第二の電話帳情報）を取得し、端末Ｄの電話帳情報に端末Ｃの所有者情報が登録されて且つ端末Ｃの電話帳情報に端末Ｄの所有者情報が登録されている相互登録状態であるか否かを判定する。そして、相互登録状態であると判定された場合、サーバＴは、端末Ｄへの情報提供を許可する。
【００５８】
これにより、サーバＴは、端末Ｃにおいて使用されているアプリケーションを特定する利用アプリ情報（アプリケーション情報）を取得して端末Ｄに送信し、この利用アプリ情報を端末Ｄにおいて表示させる。言うまでもなく、端末Ｃにおける動作と、端末Ｄにおける動作とは、入れ違いであってもよい。
【００５９】
なお、相互登録状態、即ち、端末Ｄのユーザの知人が使用する端末Ｃにおいてリアルタイムで使用されているアプリケーションは、端末Ｄのユーザにとっても有用である可能性がより高い。この結果、有用である可能性がより高いアプリケーションの提示を、端末Ｄのユーザに対して行なう情報共有が可能になり、端末Ｄのユーザにとって利便性が向上する。更に、アプリケーションの利用促進につながる。
【００６０】
（２−２）サーバＴを含む情報表示システムの構成
引き続き、端末Ｃ，ＤとサーバＴとを含む情報表示システムの全体的な機能構成について、図９を用いて説明する。図９は、第二実施形態に係る情報表示システム２の全体的な機能構成を説明するためのシステム構成図である。
【００６１】
ここで、端末Ｃ，Ｄは、スマートフォンや携帯電話機といったような、アプリケーションが有する機能を外部（例えば、サーバＴ等）からダウンロードしてインストールすることが可能な携帯端末である。サーバＴは、例えば、移動通信事業者等によって管理される装置である。端末Ｃ，ＤとサーバＴとの間には通信ネットワーク（図示せず）が存在しており、この通信ネットワークは、移動電話通信網、無線ＬＡＮ通信網、インターネット（公衆ＩＰ網）、簡易携帯電話（ＰＨＳ）網等から構成される通信網である。
【００６２】
（２−３）端末Ｃ，Ｄの構成
引き続き、端末Ｃ，Ｄの構成について、図９及び図３を用いて説明する。
【００６３】
端末Ｃ，Ｄは、図３に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、端末Ｃ，Ｄが有する各機能が発揮される。
【００６４】
端末Ｃは、図９に示されるように、主な機能的な構成要素として、電話帳情報管理部４１（第一管理手段）、アプリ管理部４２（アプリケーション管理手段）、及びアプリ・電話帳情報送信部４３（アプリ・電話帳情報送信手段）を備えて構成されている。また、端末Ｄは、図２に示されるように、主な機能的な構成要素として、電話帳情報管理部５１（第二管理手段）、利用アプリ情報要求部５２（利用アプリ情報要求手段）、アプリ情報取得部５３（アプリ情報取得手段）、及び表示部５４（表示手段）を備えて構成されている。
【００６５】
なお、端末Ｃは更に、電話帳情報管理部５１、利用アプリ情報要求部５２、アプリ情報取得部５３、及び表示部５４を備えて構成されていてもよい。同様に、端末Ｄは更に、電話帳情報管理部４１、アプリ管理部４２、及びアプリ・電話帳情報送信部４３を備えて構成されていてもよい。
【００６６】
電話帳情報管理部４１は、端末Ｃの所有者情報と端末Ｃに記憶されている電話帳情報とを、端末内部の記憶装置から取得する記憶管理部分である。電話帳情報管理部４１は、サーバＴから、端末Ｃの所有者情報及び電話帳情報の送信要求信号を受信すると、端末Ｃの所有者情報及び電話帳情報をアプリ・電話帳情報送信部４３に出力する。
【００６７】
アプリ管理部４２は、端末Ｃにおいて使用されているアプリケーションを特定する利用アプリ情報を取得する検知処理部分である。アプリ管理部４２は、サーバＴから、利用アプリ情報の送信要求信号を受信すると、利用アプリ情報の取得を行って、利用アプリ情報をアプリ・電話帳情報送信部４３に出力する。
【００６８】
アプリ・電話帳情報送信部４３は、電話帳情報管理部４１からの端末Ｃの所有者情報及び電話帳情報の入力を受け付けてサーバＴに送信するとともに、アプリ管理部４２からの利用アプリ情報の入力を受け付けてサーバＴに送信する通信処理部分である。
【００６９】
電話帳情報管理部５１は、端末Ｄの所有者情報と端末Ｄに記憶されている電話帳情報とを、端末内部の記憶装置から取得する記憶管理部分である。電話帳情報管理部５１は、利用アプリ情報要求部５２によって利用アプリ情報の送信要求信号がサーバＴへ送信されると、端末Ｄの所有者情報及び電話帳情報をサーバＴに送信する。
【００７０】
利用アプリ情報要求部５２は、端末Ｄのユーザによる利用アプリ情報の表示要求ボタンの押下を検知すると、利用アプリ情報の送信要求信号をサーバＴへ送信する通信処理部分である。
【００７１】
アプリ情報取得部５３は、利用アプリ情報要求部５２によって利用アプリ情報の送信要求信号がサーバＴへ送信された結果、サーバＴによる端末Ｄへの情報提供が許可されると、サーバＴから利用アプリ情報を受信する通信処理部分である。
【００７２】
表示部５４は、アプリ情報取得部５３により受信された利用アプリ情報を表示するディスプレイ及びその制御部分である。
【００７３】
（２−４）サーバＴの構成
引き続き、第二実施形態に係るサーバＴの構成について、図９及び図４を用いて説明する。
【００７４】
サーバＴは、図４に示されるように、主な物理的な構成要素としてＣＰＵ２０１（Central Processing Unit）、ＲＡＭ２０２（Random Access Memory）、ＲＯＭ２０３（Read Only Memory）、通信を行うための通信モジュール２０４、及びハードディスク等の補助記憶装置２０５等のハードウェアを備えるコンピュータである。これらの構成要素が動作することにより、サーバＴが有する各機能が発揮される。
【００７５】
サーバＴは、図９に示されるように、主な機能的な構成要素として、アプリ・電話帳情報取得部６１（情報取得手段）、アプリ・電話帳情報データ記憶・照合部６２（情報取得手段、情報判定手段）、アプリ・電話帳情報抽出部６３（特定取得手段）、利用アプリ情報要求受付部６４（要求受付手段）、及び利用アプリ情報提供部６５（特定送信手段）を備えて構成されている。
【００７６】
利用アプリ情報要求受付部６４は、利用アプリ情報要求部５２から、利用アプリ情報の送信要求信号を受信する通信処理部分である。
【００７７】
アプリ・電話帳情報取得部６１は、アプリ・電話帳情報データ記憶・照合部６２によって端末Ｄの所有者情報及び電話帳情報が取得されると、端末Ｃの所有者情報及び電話帳情報の送信要求信号を電話帳情報管理部４１に送信することによって、端末Ｃの所有者情報及び電話帳情報をアプリ・電話帳情報送信部４３から受信して取得する通信処理部分である。
【００７８】
アプリ・電話帳情報データ記憶・照合部６２は、利用アプリ情報要求受付部６４による送信要求信号の受信の後に、端末Ｄの所有者情報及び電話帳情報を電話帳情報管理部５１から受信して取得する通信処理及び判定演算部分である。アプリ・電話帳情報データ記憶・照合部６２は、端末Ｄの電話帳情報に端末Ｃの所有者情報が登録されていて、且つ、端末Ｃの電話帳情報に端末Ｄの所有者情報が登録されている相互登録状態であるか否かを判定する。
【００７９】
アプリ・電話帳情報抽出部６３は、アプリ・電話帳情報データ記憶・照合部６２により相互登録状態であると判定された場合、利用アプリ情報の送信要求信号をアプリ管理部４２に送信することによって、利用アプリ情報をアプリ・電話帳情報送信部４３から受信して取得する通信処理部分である。
【００８０】
利用アプリ情報提供部６５は、アプリ・電話帳情報抽出部６３により取得された利用アプリ情報をアプリ情報取得部５３に送信することによって、端末Ｄに提供する通信処理部分である。
【００８１】
（２−５）端末Ｃと端末Ｄとが相互登録状態であるか否かの判定の仕方の一例
引き続き、端末Ｃと端末Ｄとが相互登録状態であるか否かの判定の仕方の一例について、図１０を用いて説明する。図１０は、アプリ・電話帳情報データ記憶・照合部６２において行われる、端末Ｃと端末Ｄとが相互登録状態であるか否かの判定の仕方の一例を説明する説明図である。
【００８２】
アプリ・電話帳情報データ記憶・照合部６２は、例えば、端末Ｄの電話帳情報と端末Ｃの所有者情報とを照合するとともに、端末Ｃの電話帳情報と端末Ｄの所有者情報とを照合する。ここでは、利用アプリ情報を要求する側である端末Ｄの所有者情報（Ｄ：０９０−１１１１−ＸＸＸＸ）が端末Ｃの電話帳情報（Ｄさん  ０９０−１１１１−ＸＸＸＸ）に登録されていて、且つ、利用アプリ情報を提供する側である端末Ｃの所有者情報（Ｃ：０９０−００００−ＸＸＸＸ）が端末Ｄの電話帳情報（Ｃさん  ０９０−００００−ＸＸＸＸ）に登録されているため、端末Ｃと端末Ｄとは相互登録状態であると判定される。このため、最終的に、（アプリケーションを一意に識別する）アプリＩＤが「０００…、１１１…、２２２…、３３３…」である４つのアプリケーションに関する利用アプリ情報が、端末Ｄに提供される。
【００８３】
（２−６）表示部５４による表示内容の一例
引き続き、表示部５４による表示内容の一例について、図１１を用いて説明する。図１１は、表示部５４による表示内容の一例を説明する説明図である。
【００８４】
端末Ｄのユーザによって、表示部５４におけるディスプレイ画面における、利用アプリ情報の表示要求ボタン（図示せず）が押下操作（タップ）され、端末Ｄの電話帳情報に端末Ｃの所有者情報が登録されていて、且つ、端末Ｃの電話帳情報に端末Ｄの所有者情報が登録されている相互登録状態であるとサーバＴによって判定されたとする。このとき、端末Ｃにおいて使用されている８つのアプリケーションを特定する利用アプリ情報が、画面下部分Ｄ２に、起動アイコン（例えば、ショートカットアイコン等）として一覧表示される。なお、端末Ｄにおいて実際に使用されている８つのアプリケーションを特定する利用アプリ情報は、画面上部分Ｕ２に、起動アイコンとして一覧表示されている。
【００８５】
この表示と同時に、「あなたの友人はこちらのアプリを使用しています。アイコンをタップするとマーケットへ接続します」というメッセージも表示される。ここでいう「マーケット」とは、例えば、アプリケーションをダウンロードさせて提供するアプリケーション提供サイトのことである。
【００８６】
（２−７）情報表示システム２における情報表示処理の流れ
引き続き、情報表示システム２における情報表示処理（情報表示方法）の流れについて、図１２を用いて説明する。図１２は、情報表示システム２における情報表示処理の流れを説明するためのフローチャートである。
【００８７】
まず、端末Ｄが、上記の表示要求ボタンの押下を検知して利用アプリ情報の送信要求信号をサーバＴへ送信すると、端末Ｄが、端末Ｄの所有者情報及び電話帳情報をサーバＴに送信する（ステップＳ２１、情報取得ステップ）。そして、サーバＴが、端末Ｄの所有者情報及び電話帳情報を取得すると、端末Ｃの所有者情報及び電話帳情報の送信要求信号を端末Ｃに送信することによって、端末Ｃの所有者情報及び電話帳情報を端末Ｃから受信して取得する（ステップＳ２２、情報取得ステップ）。
【００８８】
次に、サーバＴが、端末Ｄの電話帳情報に端末Ｃの所有者情報が登録されていて、且つ、端末Ｃの電話帳情報に端末Ｄの所有者情報が登録されている相互登録状態であるか否かを、所有者情報と電話帳情報との照合により判定する（ステップＳ２３、情報判定ステップ）。端末Ｃと端末Ｄとが相互登録状態でないと判定された場合、一連の処理は終了し、端末Ｃ，Ｄでないその他の端末（例えば、図示されていない端末Ｎ）を端末Ｃに見立てて所有者情報及び電話帳情報を取得して再度、照合判定の処理を行なう（ステップＳ２４）。
【００８９】
一方、端末Ｃと端末Ｄとが相互登録状態であると判定された場合、サーバＴが、利用アプリ情報の送信要求信号を端末Ｄに送信することによって、利用アプリ情報を端末Ｄから受信して取得する（ステップＳ２５）。この後、サーバＴが、利用アプリ情報の送信要求信号を端末Ｃに送信することによって、利用アプリ情報を端末Ｃから受信して取得する（ステップＳ２６、特定取得ステップ）。
【００９０】
次に、端末Ｄが、電話帳情報に既に登録されているユーザの端末Ｃの利用アプリ情報の送信要求信号をサーバＴへ送信する（ステップＳ２７）。そして、サーバＴが、端末Ｃの利用アプリ情報の提供は許可された設定となっているか否かを判定する（ステップＳ２８）。端末Ｃの利用アプリ情報の提供は許可された設定となっていないと判定された場合、一連の処理は終了し、その他の端末を端末Ｃと見立てて所有者情報及び電話帳情報を取得して再度、照合判定の処理を行なう（ステップＳ２９）。
【００９１】
一方、サーバＴが、端末Ｃの利用アプリ情報の提供は許可された設定となっていると判定された場合、サーバＴが、利用アプリ情報を端末Ｄに送信することによって、端末Ｄに提供する（ステップＳ３０、特定送信ステップ）。そして、端末Ｄが、サーバＴから利用アプリ情報を受信する（ステップＳ３１）。最後に、表示部５４が、受信された利用アプリ情報をアプリ一覧に表示する（ステップＳ３２）。
【００９２】
（２−８）変形例
上記の実施例では、電話帳情報管理部４１及び電話帳情報管理部５１による電話帳情報の取得は端末内部の記憶装置から取得して行われるとして説明したが、取得方法は特に限定されず、例えば、端末に搭載可能な外部記憶装置（例えばメモリーカード等）から取得して行ってもよい。
【００９３】
また、サーバＴは、サーバＳを構成する機能的な構成要素を更に含んで構成されたものとし、端末Ｃは、端末Ａを構成する機能的な構成要素を更に含んで構成されたものとし、端末Ｄは、端末Ｂを構成する機能的な構成要素を更に含んで構成されたものとしてもよい。
【産業上の利用可能性】
【００９４】
本発明によれば、有用である可能性がより高いアプリケーションの提示を行なう情報表示サーバ、情報表示システム、及び情報表示方法を提供することができる。
【符号の説明】
【００９５】
１，２…情報表示システム、１１…位置情報管理部、１２，４２…アプリ管理部、１３…アプリ・位置情報送信部、２１…位置情報管理部、２２，５２…利用アプリ情報要求部、２３，５３…アプリ情報取得部、２４，５４…表示部、３１…アプリ・位置情報取得部、３２…アプリ・位置情報データ記憶・照合部、３３…アプリ・位置情報抽出部、３４，６４…利用アプリ情報要求受付部、３５，６５…利用アプリ情報提供部、４１…電話帳情報管理部、４３…アプリ・電話帳情報送信部、５１…電話帳情報管理部、６１…アプリ・電話帳情報取得部、６２…アプリ・電話帳情報データ記憶・照合部、６３…アプリ・電話帳情報抽出部、１０１…ＣＰＵ、１０２…ＲＡＭ、１０３…ＲＯＭ、１０４…操作部、１０５…無線通信部、１０６…ディスプレイ、１０７…アンテナ、２０１…ＣＰＵ、２０２…ＲＡＭ、２０３…ＲＯＭ、２０４…通信モジュール、２０５…補助記憶装置、Ａ，Ｂ，Ｃ，Ｄ…端末、Ｄ１，Ｄ２…画面下部分、Ｓ，Ｔ…サーバ、Ｕ１，Ｕ２…画面上部分。
【図１】
0005161333.tif 000002
【図２】
0005161333.tif 000003
【図３】
0005161333.tif 000004
【図４】
0005161333.tif 000005
【図５】
0005161333.tif 000006
【図６】
0005161333.tif 000007
【図７】
0005161333.tif 000008
【図８】
0005161333.tif 000009
【図９】
0005161333.tif 000010
【図１０】
0005161333.tif 000011
【図１１】
0005161333.tif 000012
【図１２】
0005161333.tif 000013